(57)【特許請求の範囲】
【請求項１】
ソール部と、
前記ソール部に接続され、上部表面にほぼ中央に延びる舌部を有するアッパー部と、
前記アッパー部の下端部に固定された第１ショートストラップ及び第２ショートストラップであって、前記第１ショートストラップは前記アッパー部の左サイド部に固定され、前記第２ショートストラップは前記アッパー部の右サイド部に固定され、前記第１及び第２ショートストラップは前記アッパー部の左右のサイド部にほぼ対向して配置され、前記第１及び第２ショートストラップのそれぞれはループを形成し、前記ループはこのループを通って延びるリングを有する、第１ショートストラップ及び第２ショートストラップと、
前記第１ショートストラップのリングを通って延び、さらに前記第２ショートストラップのリングを通って延び、各端にループを有し、前記各端のループが前記第１及び第２ショートストラップのリングを通過して前記アッパー部の上面において対向するように配置され、長手方向に移動自在な第１ロングストラップと、
ひもであって、前記ひもはフットウェア製品を締め付けるために前記第１ロングストラップに形成された両ループを通って交差して延び、前記第１ロングストラップによりフットウェア製品を締め付けるための滑車の原理による締め付け力の増幅作用が与えられるひもと、
を含むフットウェア製品。
【請求項２】
前記アッパー部の下端部に固定された第３ショートストラップ及び第４ショートストラップであって、前記第３ショートストラップは前記アッパー部の左サイド部に固定され、前記第４ショートストラップは前記アッパー部の右サイド部に固定され、前記第１、第２、第３及び第４ショートストラップは前記アッパー部の左右のサイド部において互いに間隔をあけて配置され、前記第３及び第４ショートストラップのそれぞれはループを形成し、前記ループはこのループを通って延びるリングを有する、第３ショートストラップ及び第４ショートストラップと、
前記第３ショートストラップのリングを通って延び、さらに前記第４ショートストラップのリングを通って延び、各端にループを有し、前記各端のループが前記第３及び第４ショートストラップのリングを通過して前記アッパー部の上面において対向するように配置され、長手方向に移動自在な第２ロングストラップとをさらに含み、
前記ひもは、フットウェア製品を締め付けるために前記第１ロングストラップ及び前記第２ロングストラップに形成されたループを通って交差して延び、前記第１ロングストラップ及び前記第２ロングストラップによりフットウェア製品を締め付けるための滑車の原理による締め付け力の増幅作用が与えられる、
請求項１に記載のフットウェア製品。
【請求項３】
前記アッパー部の下端部に固定された第５ショートストラップ及び第６ショートストラップであって、前記第５ショートストラップは前記アッパー部の左サイド部に固定され、前記第６ショートストラップは前記アッパー部の右サイド部に固定され、前記第１、第２、第３、第４、第５及び第６ショートストラップは前記アッパー部の左右のサイド部において互いに間隔をあけて配置され、前記第５及び第６ショートストラップのそれぞれはループを形成し、前記ループはこのループを通って延びるリングを有する、第５ショートストラップ及び第６ショートストラップと、
前記第５ショートストラップのリングを通って延び、さらに前記第６ショートストラップのリングを通って延び、各端にループを形成し、前記各端のループが前記第５及び第６ショートストラップのリングを通過して前記アッパー部の上面において対向するように配置され、長手方向に移動自在な第３ロングストラップとをさらに含み、
前記ひもは、フットウェア製品を締め付けるために前記第１、第２及び第３ロングストラップに形成されたループを通って交差して延び、前記第１、第２及び第３ロングストラップによりフットウェア製品を締め付けのための滑車の原理による締め付け力の増幅作用が与えられる、
請求項２に記載のフットウェア製品。
【請求項４】
前記アッパー部の下端部に固定された第７ショートストラップ及び第８ショートストラップであって、前記第７ショートストラップは前記アッパー部の左サイド部に固定され、前記第８ショートストラップは前記アッパー部の右サイド部に固定され、前記第１、第２、第３、第４、第５、第６、第７及び第８ショートストラップは前記アッパー部の左右のサイド部に互いに間隔をあけて配置され、前記第７及び第８ショートストラップのそれぞれはループを形成し、前記ループはこのループを通って延びるリングを有する、第７ショートストラップ及び第８ショートストラップと、
前記第７ショートストラップのリングを通って延び、さらに前記第８ショートストラップのリングを通って延び、各端にループを有し、前記各端のループが前記第７及び第８ショートストラップのリングを通過して前記アッパー部の上面において対向するように配置され、長手方向に移動自在な第４ロングストラップとをさらに含み、
前記ひもは、フットウェア製品を締め付けるために前記第１、第２、第３及び第４ロングストラップに形成されたループを通って交差して延び、前記第１、第２、第３及び第４ロングストラップによりフットウェア製品を締め付けるための滑車の原理による締め付け力の増幅作用が与えられる、
請求項３に記載のフットウェア製品。
【請求項５】
前記アッパー部の下端部に固定された第９ショートストラップ及び第１０ショートストラップであって、前記第９ショートストラップは前記アッパー部の左サイド部に固定され、前記第１０ショートストラップは前記アッパー部の右サイドに固定され、前記第１、第２、第３、第４、第５、第６、第７、第８、第９及び第１０ショートストラップは前記アッパー部の左右のサイド部に互いに間隔をあけて配置され、前記第９及び第１０ショートストラップのそれぞれはループを形成し、前記ループはこのループを通って延びるリングを有する、第９ショートストラップ及び第１０ショートストラップと、
前記第９ショートストラップのリングを通って延び、さらに前記第１０ショートストラップのリングを通って延び、各端にループを形成し、前記各端のループが前記第９及び第１０ショートストラップのリングを通過して前記アッパー部の上面において対向するように配置され、長手方向に移動自在な第５ロングストラップとをさらに含み、
前記ひもは、フットウェア製品を締め付けるために前記第１、第２、第３、第４及び第５ロングストラップに形成されたループを通って交差して延び、前記第１、第２、第３、第４及び第５ロングストラップによりフットウェア製品を締め付けるための滑車の原理による締め付け力の増幅作用が与えられる、
請求項４に記載のフットウェア製品。
【請求項６】
前記リングのすべては金属製である、請求項５に記載のフットウェア製品。
【請求項７】
前記第１、第２、第３、第４及び第５ロングストラップのループのそれぞれは、ストラップ材からなるループ部により形成されており、各ループ部は前記ひもが通って延びるリングを構成している、請求項６に記載のフットウェア製品。
【請求項８】
前記第１、第２、第３、第４及び第５ロングストラップの各ループは個別リングを含み、前記各個別リングは前記第１、第２、第３、第４及び第５ロングストラップの各端部に形成されるストラップ材からなるループ部を通って延び、前記ひもは前記個別リングを通って延びる、請求項６に記載のフットウェア製品。
【請求項９】
前記個別リングのそれぞれは金属製である、請求項８に記載のフットウェア製品。
【請求項１０】
ソール部と、
前記ソール部に接続され、上部表面にほぼ中央に延びる舌部を有するアッパー部と、
前記アッパー部の下端部に固定された第１ショートストラップ及び第２ショートストラップであって、前記第１ショートストラップは前記アッパー部の左サイド部に固定され、前記第２ショートストラップは前記アッパー部の右サイド部に固定され、前記第１及び第２ショートストラップは前記アッパー部の左右のサイド部にほぼ対向して配置され、前記第１及び第２ショートストラップのそれぞれはループを形成する第１及び第２ショートストラップと、
前記第１ショートストラップのループを通って延び、さらに前記第２ショートストラップのループを通って延び、各端にループを有し、前記各端のループが前記第１及び第２ショートストラップのループを通過して前記アッパー部の上面において対向するように配置され、長手方向に移動自在なロングストラップと、
ひもであって、前記ひもはフットウェア製品を締め付けるために前記ロングストラップに形成された両ループを通って交差して延び、前記ロングストラップによりフットウェア製品を締め付けるための滑車の原理による締め付け力の増幅作用が与えられるひもと、
を含むフットウェア製品。
【請求項１１】
ソール部と、
前記ソール部に接続されたアッパー部と、
前記アッパー部の足首支持部近くで前記アッパー部の対向する両サイド部に支持されている第１の対のリングと、
前記第１の対のリングを通って延び、Ｃ字状の形状を構成するとともに、第１端部及び第２端部にひも係止手段が形成され、前記第１及び第２端部のひも係止手段が前記第１の対のリングを通過して前記アッパー部の上面において対向するように配置され、長手方向に移動自在な第１ロングストラップとを備え、
前記第１ロングストラップの前記ひも係止手段は、足にフットウェア製品を締め付けるためにひもを受け取るよう構成され、前記第１ロングストラップは足にフットウェア製品を締め付けるためにひもに滑車の原理による締め付け力の増幅作用を与える、
フットウェア製品。
【請求項１２】
前記アッパー部は、上部表面にほぼ中央に延びる舌部を有するとともに、それぞれひも係止手段が形成され前記舌部に隣接する第１サイド部及び第２サイド部を有し、前記アッパー部の前記第１及び第２サイド部のひも係止手段は、足にフットウェア製品を締め付けるためにひもを受け取るよう構成され、前記第１ロングストラップは足にフットウェア製品を締め付けるために前記ひもに滑車の原理による締め付け力の増幅作用を与える、請求項１１に記載のフットウェア製品。
【請求項１３】
前記第１ロングストラップは前記アッパー部の足首支持部近くの周囲を通って延びる、請求項１２に記載のフットウェア製品。
【請求項１４】
前記第１の対のリングは、第１支持ストラップを介して前記アッパー部の対向する両サイド部に支持され、前記第１支持ストラップは第１及び第２レッグ部を有し、前記第１レッグ部は前記アッパー部の後部を覆い、前記第２レッグ部は前記アッパー部の踵支持部の下を覆い、前記リングは前記第１支持ストラップの対応する端に形成されたループを通って延びている、請求項１２に記載のフットウェア製品。
【請求項１５】
前記アッパー部のつま先支持部近くに固定された第２の対のリングと、
前記第２の対のリングを通って延び、前記アッパー部のつま先支持部を横切って延び、前記第２の対のリングを通過して両端がアッパー部の上面において対向するように配置され、長手方向に移動自在な第２ロングストラップとを含む、請求項１２に記載のフットウェア製品。
【請求項１６】
前記第２の対のリングは、第２支持ストラップを介して前記アッパー部の対向する両サイド部に支持され、前記第２支持ストラップは前記アッパー部のつま先支持部の下を覆い、前記第２の対のリングは前記第２支持ストラップの対応する端に形成されたループを通って延びている、請求項１５に記載のフットウェア製品。
【請求項１７】
前記第１ロングストラップのひも係止手段はひも穴を含む、請求項１２項に記載のフットウェア製品。
【請求項１８】
前記アッパー部の前記第１及び第２サイド部のひも係止手段は、それに固定されたフックを含む、請求項１２に記載のフットウェア製品。
【請求項１９】
ソール部と、
前記ソール部に接続されており、上部表面にほぼ中央に延びる舌部を有し、対向する両サイド部を互いに向かって引き込むためにひもを受け取るよう構成されたアッパー部と、
その一部を通るひもを受け取るよう構成され、前記ひもとともに足にフットウェア製品を締め付けるためのひも締めストラップと、
前記アッパー部の下端部に固定された第１ショートストラップ及び第２ショートストラップであって、前記第１ショートストラップは前記アッパー部の左サイド部に固定され、前記第２ショートストラップは前記アッパー部の右サイド部に固定され、前記第１及び第２ショートストラップは前記アッパー部の左右のサイド部にほぼ対向して配置され、前記第１及び第２ショートストラップのそれぞれはループを形成し、前記ループはこのループを通って延びるリングを有する、第１及び第２ショートストラップと、
前記第１ショートストラップのリングを通って延び、さらに前記第２ショートストラップのリングを通って延び、各端にループを有し、前記各端のループが前記第１及び第２ショートストラップのリングを通過して前記アッパー部の上面において対向するように配置され、長手方向に移動自在な第１ロングストラップと、を含み、
前記ひもは、フットウェア製品を締め付けるために前記第１ロングストラップに形成された両ループを通って交差して延び、前記第１ロングストラップによりフットウェア製品を締め付けるための滑車の原理による締め付け力の増幅作用が与えられる、
フットウェア製品。
【請求項２０】
前記ひも締めストラップは、フットウェア製品の足首支持部近くの前記アッパー部の前記対向する両サイド部の間に配置される、請求項１９に記載のフットウェア製品。
【請求項２１】
前記アッパー部の下端部に固定された第３ショートストラップ及び第４ショートストラップであって、前記第３ショートストラップは前記アッパー部の左サイド部に固定され、前記第４ショートストラップは前記アッパー部の右サイド部に固定され、前記第１、第２、第３及び第４ショートストラップは前記アッパー部の左右のサイド部に互いに間隔をあけて配置されており、前記第３及び第４ショートストラップのそれぞれはループを形成し、前記ループはこのループを通って延びるリングを有する、第３及び第４ショートストラップと、
前記第３ショートストラップのリングを通って延び、さらに前記第４ショートストラップのリングを通って延び、各端にループを有し、前記各端のループが前記第３及び第４ショートストラップのリングを通過して前記アッパー部の上面において対向するように配置され、長手方向に移動自在な第２ロングストラップとをさらに含み、
前記ひもは、フットウェア製品を締め付けるために前記第１ロングストラップ及び前記第２ロングストラップに形成された各ループを通って交差して延び、前記第１ロングストラップ及び前記第２ロングストラップによりフットウェア製品を締め付けるための滑車の原理による締め付け力の増幅作用が与えられる、
請求項２０に記載のフットウェア製品。
【請求項２２】
前記アッパー部の下端部に固定された第５ショートストラップ及び第６ショートストラップであって、前記第５ショートストラップは前記アッパー部の左サイド部に固定され、前記第６ショートストラップは前記アッパー部の右サイド部に固定され、前記第１、第２、第３、第４、第５及び第６ショートストラップは前記アッパー部の左右のサイド部に互いに間隔をあけて配置されており、前記第５及び第６ショートストラップのそれぞれはループを形成し、前記ループはこのループを通って延びるリングを有する、第５及び第６ショートストラップと、
前記第５ショートストラップのリングを通って延び、さらに前記第６ショートストラップのリングを通って延び、各端にループを有し、前記各端のループが前記第５及び第６ショートストラップのリングを通過して前記アッパー部の上面において対向するように配置され、長手方向に移動自在な第３ロングストラップとをさらに含み、
前記ひもは、フットウェア製品を締め付けるために前記第１、第２及び第３ロングストラップに形成された各ループを通って交差して延び、前記第１、第２及び第３ロングストラップによりフットウェア製品を締め付けるための滑車の原理による締め付け力の増幅作用が与えられる、請求項２１に記載のフットウェア製品。
【請求項２３】
前記リングのすべては金属製である、請求項２２に記載のフットウェア製品。
【請求項２４】
前記第１、第２及び第３ロングストラップのループのそれぞれは、ストラップ材からなるループ部により形成されており、この各ループ部は前記ひもが通って延びるリングを構成している、請求項２３に記載のフットウェア製品。
【請求項２５】
前記ひも締めストラップはひもを受け取るためにプラスチックループを有している、請求項１９に記載のフットウェア製品。
【請求項２６】
前記ひも締めストラップの各端は、少なくとも２つの前記プラスチックループを有している、請求項２５項に記載のフットウェア製品。
【請求項２７】
前記ひも締めストラップは、ひもを受け取るため繊維のループを有している、請求項１９に記載のフットウェア製品。
【請求項２８】
前記ひも締めストラップの各端は少なくとも二つの前記繊維のループを形成する、請求項２７に記載のフットウェア製品。
【請求項２９】
前記ひも締めストラップはひもを受け取るためにひも穴を有している、請求項１９に記載のフットウェア製品。
【請求項３０】
前記ひも締めストラップの各端は少なくとも二つの前記ひも穴を有している、請求項２９に記載のフットウェア製品。
【請求項３１】
前記ひも締めストラップは、ひもの幅の少なくとも５倍広い幅を有している、請求項１９に記載のフットウェア製品。
【発明の詳細な説明】
【０００１】
【発明の属する技術分野】
本発明は、フットウェア製品のひもの締め付け構成に関し、より詳細には、例えばスノーボードブーツのひもの締め付け構成に関する。
【０００２】
【従来技術】
一般に、ブーツ及び大きなフットウェア製品のひもは、特に濡れているときに締め付けるのが困難である。
【０００３】
ブーツは通常ソール部とアッパー部とで形成されている。アッパー部は、一般的に、皮や皮のような素材等の柔軟な素材で形成されている。通常、アッパー部は中央に開口部を形成している。そして、その開口部の下端に舌部が形成されており、舌部は開口部の両サイド部間に延びている。両サイド部にはループまたはひも穴が形成されており、それを通ってひもが延びている。一般的に、ひもは、ループまたはひも穴を通って一方のサイド部から他方のサイド部へ交差して延びている。ループまたはひも穴は、通常、両サイド部に等間隔に同数形成され、ループすなわちひも穴の対を構成している。
【０００４】
ブーツを履く際、通常、ひもの端を締め付けるのとは別に、ひも穴またはループ近くでひもの下部をきつく引っ張らなければならない。たとえば、大きなブーツは通常７または８対のひも穴またはループが設けられており、それを通ってひもが延びている。多くの場合、ブーツ着用者は、２番目または３番目のひも穴の対近くでひもの一部分をきつく引っ張り、それから継続して上のひも穴の対に移り、ひもの対応する部分をつかみ、それをひものトップまたは端が最終的に締められるまでさらに締めなければならない。このような動作は、前回の使用によりブーツまたはひもが濡れているときに特に困難である。ひもが濡れているまたは乾いているに関わらず、ひもの交差構成及び摩擦により、ひもを締め付けることは困難である。
【０００５】
【発明が解決しようとする課題】
本発明の目的は、ひもを締め付けるのがより簡単なフットウェア製品を提供することである。
【０００６】
本発明の別の目的は、より確実に足に密着させることができるフットウェア製品を提供することである。
【０００７】
【課題を解決するための手段】
本発明の一態様において、フットウェア製品にはソール部及びソール部に接続されているアッパー部が含まれる。アッパー部は、上部表面にほぼ中央に延びる舌部を形成する。第１ショートストラップ及び第２ショートストラップはアッパー部の下端部に固定されている。第１ショートストラップはアッパー部の左サイド部に固定され、第２ショートストラップはアッパー部の右サイド部に固定されている。第１及び第２ショートストラップは、アッパー部の左右のサイド部にほぼ対向して配置されている。第１及び第２ショートストラップのそれぞれはループを形成し、ループはそれを通って延びるリングを有している。第１ロングストラップは、第１ショートストラップのリングを通って延び、さらに第２ショートストラップのリングを通って延び、長手方向に移動自在である。第１ロングストラップは、その各端に形成されたループを有し、各端のループはアッパー部の上面において対向するように配置されている。ひもは、フットウェア製品を締め付けるために第１ロングストラップに形成された両ループを通り交差して延びている。そして、ひもは、第１ロングストラップにより、フットウェア製品を締め付けるための滑車の原理による締め付け力の増幅作用が与えられる。
【０００８】
好ましくは、フットウェア製品はさらに、アッパー部の下端部に固定された第３ショートストラップと第４ショートストラップとを含み、第３ショートストラップはアッパー部の左サイド部に固定され、第４ショートストラップはアッパー部の右サイド部に固定されている。第１、第２、第３及び第４ショートストラップは、アッパー部の左右のサイド部に互いに間隔をあけて配置されている。第３及び第４ショートストラップのそれぞれはループを形成し、ループはそれを通って延びるリングを有している。第２ロングストラップは、第３ショートストラップのリングを通って延び、さらに第４ショートストラップのリングを通って延び、長手方向に移動自在である。第２ロングストラップは各端に形成されたループを有し、各端のループはアッパー部の上面において対向するように配置されている。ひもは、フットウェア製品を締め付けるために第１及び第２ロングストラップに形成されたループを通り交差して延びている。そして、ひもは、第１及び第２ロングストラップにより、フットウェア製品を締め付けるための滑車の原理による締め付け力の増幅作用が与えられる。
【０００９】
好ましくは、フットウェア製品はさらに、アッパー部の下端部に固定された第５ショートストラップと第６ショートストラップとを含み、第５ショートストラップはアッパー部の左サイド部に固定され、第６ショートストラップはアッパー部の右サイド部に固定されている。第１、第２、第３、第４、第５及び第６ショートストラップは、アッパー部の左右のサイド部に互いに間隔をあけて配置されている。第５及び第６ショートストラップのそれぞれはループを形成し、ループはそれを通って延びるリングを有している。第３ロングストラップは、第５ショートストラップのリングを通って延び、さらに第６ショートストラップのリングを通って延び、長手方向に移動自在である。第３ロングストラップは各端に形成されたループを有し、各端のループはアッパー部の上面において対向するように配置されている。ひもは、フットウェア製品を締め付けるために第１、第２及び第３ロングストラップに形成されたループを通り交差して延びている。
【００１０】
好ましくは、フットウェア製品はさらに、アッパー部の下端部に固定された第７ショートストラップと第８ショートストラップとを含む。第７ショートストラップはアッパー部の左サイド部に固定され、第８ショートストラップはアッパー部の右サイド部に固定されている。第１、第２、第３、第４、第５、第６、第７及び第８ショートストラップは、アッパー部の左右のサイド部に互いに間隔をあけて配置されている。第７及び第８ショートストラップのそれぞれはループを形成し、ループはそれを通って延びるリングを有している。第４ロングストラップは、第７ショートストラップのリングを通って延び、さらに第８ショートストラップのリングを通って延び、長手方向に移動自在であり、各端に形成されたループを有し、各端のループはアッパー部の上面において対向するように配置されている。ひもは、フットウェア製品を締め付けるために第１、第２、第３及び第４ロングストラップに形成された各ループを通り交差して延びている。そして、ひもは、これらのロングストラップにより、フットウェア製品を締め付けるための滑車の原理による締め付け力の増幅作用が与えられる。
【００１１】
好ましくは、フットウェア製品はさらに、アッパー部の下端部に固定された第９ショートストラップと第１０ショートストラップとを含む。第９ショートストラップはアッパー部の左サイド部に固定され、第１０ショートストラップはアッパー部の右サイド部に固定されている。第１、第２、第３、第４、第５、第６、第７、第８、第９及び第１０ショートストラップは、アッパー部の左右のサイド部に互いに間隔をあけて配置されており、第９及び第１０ショートストラップのそれぞれはループを形成し、ループはそれを通って延びるリングを有している。第５ロングストラップは、第９ショートストラップのリングを通って延び、さらに第１０ショートストラップのリングを通って延び、長手方向に移動自在であり、各端に形成されたループを有し、各端のループはアッパー部の上面において対向するように配置されている。ひもは、フットウェア製品を締め付けるために第１、第２、第３、第４及び第５ロングストラップに形成された各ループを通り交差して延び、こられのロングストラップにより、フットウェア製品を締め付けるための滑車の原理による締め付け力の増幅作用が与えられる。
【００１２】
全てのリングは金属製であることが好ましい。
【００１３】
好ましくは、第１、第２、第３、第４及び第５ロングストラップのループのそれぞれは、ストラップ材のループ部により形成されており、各ループ部はひもが通って延びるリングを構成している。
【００１４】
好ましくは、第１、第２、第３、第４及び第５ロングストラップのループのそれぞれは個別のリングを含み、各リングは、第１、第２、第３、第４及び第５ロングストラップそれぞれの各端にストラップ材により形成されたループ部を通って延び、ひもは個別のリングを通って延びている。
【００１５】
好ましくは、個別のリングのそれぞれは金属製である。
【００１６】
あるいは、ショートストラップはループを備え、そのループを通ってロングストラップが延び、このためリングは除かれている。
【００１７】
本発明の別の一態様において、フットウェア製品はソール部及びソール部に接続されているアッパー部で形成されている。アッパー部は、その上部表面にほぼ中央に延びる舌部を形成している。アッパー部は、複数のひも穴等のひも係止手段を有し舌部に隣接する第１サイド部、及び複数のひも穴等のひも係止手段を有し舌部に隣接する第２サイド部を備えている。第１の対のリングは、アッパー部の足首支持部近くの対向するサイド部に支持されている。第１ロングストラップは、リングの対を通って延びて長手方向に移動自在であり、Ｃ字形である。第１ロングストラップの第１端部には１対のひも孔等のひも係止手段が形成され、第２端部には他の１対のひも穴等のひも係止手段が形成されている。第１及び第２端部のひも係止手段はアッパー部の上面において対向するように配置されている。ひもは、フットウェア製品を締め付けるために、第１ロングストラップのひも穴等のひも係止手段、及びアッパー部の第１と第２サイド部のひも穴等のひも係止手段を通って延びている。第１ロングストラップは、フットウェア製品を締め付けるための滑車の原理による締め付け力の増幅作用をひもに与える。
【００１８】
好ましくは、第１ロングストラップはアッパー部の足首支持部近くのまわりを覆うように延びている。
【００１９】
好ましくは、リングの対は第１支持ストラップを介してアッパー部の対向するサイド部に支持される。さらに、第１支持ストラップは第１及び第２レッグ部を有している。第１レッグ部はアッパー部の後部を覆い、第２レッグ部はアッパー部の踵支持部の下を覆っている。リングは第１支持ストラップの対応する端に形成されたループを通って延びている。
【００２０】
好ましくは、フットウェア製品にはアッパー部のつま先支持部近くでアッパー部に固定されたリングの第２の対が含まれる。第２ロングストラップは、リングの第２の対を通って延びて長手方向に移動自在であり、両端はアッパー部の上面において対向するように配置されており、アッパー部のつま先支持部を横切って延びている。
【００２１】
好ましくは、リングの第２の対は第２支持ストラップを介してアッパー部の対向するサイド部に支持される。第２支持ストラップは、アッパー部のつま先支持部の下を覆っている。リングの第２の対は第２支持ストラップの対応する端に形成されたループを通って延びている。
【００２２】
第１ロングストラップ及び第２ロングストラップは、ブーツまたはフットウェア製品をひもで縛るより信頼性のある手段を提供する。アッパー部の足首支持部近くのロングストラップは、従来のひもの締め付けシステムと共に使用することもでき、またはさらなるひもの締め付け効果を与えるために、従来のひも締め付けシステムに第２ロングストラップを組み合わせて使用することもできる。
【００２３】
本発明のさらに別の一態様において、フットウェア製品にはソール部及びソール部に接続されたアッパー部が含まれる。アッパー部は、その上部表面にほぼ中央に延びる舌部を有している。アッパー部の対向する両サイド部は、これらを互いに向かって引き込むためにひもを受け取るよう構成されている。ひも締めストラップは、その一部を通るひもを受け取るように構成されている。また、このフットウェア製品には、アッパー部の下端部に固定された第１ショートストラップ及び第２ショートストラップが含まれ、第１ショートストラップはアッパー部の左サイド部に固定され、第２ショートストラップはアッパー部の右サイド部に固定されている。第１及び第２ショートストラップは、アッパー部の左右のサイド部にほぼ対向して配置されている。第１及び第２ショートストラップのそれぞれはループを形成し、ループはそれを通って延びるリングを有している。第１ロングストラップは、第１ショートストラップのリングを通って延び、さらに第２ショートストラップのリングを通って延び、長手方向に移動自在である。第１ロングストラップは各端に形成されたループを有し、各端のループはアッパー部の上面において対向するように配置されている。ひもは、フットウェア製品を締め付けるために第１ロングストラップに形成された各ループを通り交差して延びている。そして、ひもは、第１ロングストラップにより、フットウェア製品を締め付けるための滑車の原理による締め付け力の増幅作用が与えられる。
【００２４】
好ましくは、ひも締めストラップはフットウェア製品の足首支持部近くのアッパー部の対向する両サイド部の間に配置される。
【００２５】
好ましくは、フットウェア製品はさらに、アッパー部の下端部に固定された第３ショートストラップと第４ショートストラップとを含む。第３ショートストラップはアッパー部の左サイド部に固定され、第４ショートストラップはアッパー部の右サイド部に固定されている。第１、第２、第３及び第４ショートストラップは、アッパー部の左右のサイド部に互いに間隔をあけて配置されている。第３及び第４ショートストラップのそれぞれはループを形成し、ループはそれを通って延びるリングを有している。第２ロングストラップは、第３ショートストラップのリングを通って延び、さらに第４ショートストラップのリングを通って延び、長手方向に移動自在である。第２ロングストラップは各端に形成されたループを有し、各端のループはアッパー部の上面において対向するように配置されている。ひもは、フットウェア製品をさらに締め付けるために第１及び第２ロングストラップに形成された各ループを通り交差して延びている。そして、ひもは、第１及び第２ロングストラップにより、フットウェア製品を締め付けるための滑車の原理による締め付け力の増幅作用が与えられる。
【００２６】
好ましくは、フットウェア製品はさらに、アッパー部の下端部に固定された第５ショートストラップと第６ショートストラップとを含む。第５ショートストラップはアッパー部の左サイド部に固定され、第６ショートストラップはアッパー部の右サイド部に固定されている。第１、第２、第３、第４、第５及び第６ショートストラップは、アッパー部の左右のサイド部に互いに間隔をあけて配置されている。第５及び第６ショートストラップのそれぞれはループを形成し、ループはそれを通って延びるリングを有している。第３ロングストラップは、第５ショートストラップのリングを通って延び、さらに第６ショートストラップのリングを通って延び、長手方向に移動自在である。第３ロングストラップは各端に形成されたループを有し、各端のループはアッパー部の上面において対向するように配置されている。ひもは、フットウェア製品を締め付けるために第１、第２及び第３ロングストラップに形成された各ループを通り交差して延びている。そして、ひもは、第１、第２及び第３ロングストラップにより、フットウェア製品を締め付けるための滑車の原理による締め付け力の増幅作用が与えられる。
【００２７】
全てのリングは金属製であることが好ましい。
【００２８】
好ましくは、第１、第２及び第３ロングストラップのループのそれぞれは、ストラップ材のループ部により形成されており、各ループ部はひもが通って延びるリングを構成している。
【００２９】
好ましくは、ひも締めストラップはひもを受け取るためにプラスチックのループを有している。
【００３０】
好ましくは、ひも締めストラップはひもを受け取るために繊維のループを有している。
【００３１】
好ましくは、ひも締めストラップはひもを受け取るためにひも穴を有している。
【００３２】
好ましくは、ひも締めストラップはひもの幅よりも少なくとも５倍広い幅を有している。
【００３３】
本発明のひも締めストラップにより、さらなる締め付け手段を有するフットウェア製品が提供される。特に、ひもが締められる際に加えられる力は、増幅され、そのためブーツはひも締めストラップの部位でより確実に足に固定される。
【００３４】
本発明の種々のロングストラップにより、フットウェア製品内でひもから足への力を増幅する、さらなる締め付け手段が提供される。
【００３５】
本発明のこれらまたは他の目的、特徴、態様及び利点は、全体に渡って同様の参照番号が一致する部分を示している、添付の図面と組み合わせて、以下の本発明の詳細な記述からより完全に明白になるであろう。
【００３６】
【発明の実施の形態】
図１に示すブーツ１は、本発明の第１実施形態によるひも締め付け構成を含んでいる。図１及び図２に示すブーツはスノーボードブーツである。しかし、本発明のひも締め付け構成は、あらゆるブーツ及びフットウェア製品のいずれにも用いられてもよい。たとえば、ランニングシューズ、自転車レース用シューズ、ハイキングブーツ、スキーブーツ、スノーボードブーツ等に使用できる。
【００３７】
ブーツ１は、ソール部形成素材から作られるソール部２及びソール部２に接着されているアッパー部３を含む。アッパー部３は、ほぼ中央に延びる舌部４を有し、この舌部４はアッパー部３に形成された開口部の両サイド部の間に延びて形成されている。アッパー部３の各サイド部は、複数のショートストラップを有している。ショートストラップは、２組のストラップに分かれ、第１組が１０ａ、１０ｂ、１０ｃ、１０ｄ、１０ｅであり、第２組が１１ａ、１１ｂ、１１ｃ、１１ｄ、１１ｅである。図１及び図２に示すように、ショートストラップの第１組はアッパー部３の第１サイド部の下端部に固定され、第２組はアッパー部３の第２サイド部の下端部に固定されている。
【００３８】
ショートストラップ１０ａ及びショートストラップ１１ａは、アッパー部３の第１及び第２サイド部に対向して配置されている。同様に、ショートストラップ１０ｂ及びショートストラップ１１ｂは、アッパー部３の第１及び第２サイド部に対向して配置されている。同様に、ショートストラップの第１組の他の全て（１０ｃ、１０ｄ、１０ｅ）とショートストラップの第２組の他の全て（１１ｃ、１１ｄ、１１ｅ）は、アッパー部３の第１及び第２サイド部に対向して配置されている。
【００３９】
ショートストラップの第１組１０ａ、１０ｂ、１０ｃ、１０ｄ、１０ｅと第２組１１ａ、１１ｂ、１１ｃ、１１ｄ、１１ｅの全ては、互いに所定の間隔をあけて配置されており、この間隔はフットウェア製品により変化する。
【００４０】
ショートストラップの第１組及び第２組のそれぞれの数は、この実施形態に限定されない。ここで示す実施形態では、ショートストラップの第１及び第２組にはそれぞれ５本のショートストラップが含まれる。しかし、各組のショートストラップ数は、本発明のひも締め付け構成が用いられるフットウェア製品のタイプにより変更してもよい。たとえば、特に靴が小さい場合には、片方の靴の各サイド部に一本のみのショートストラップを設けることもできる。一足のランニングシューズでは、ショートストラップの第１及び第２組のそれぞれは、場合によっては２本または３本のショートストラップのみを有することもある。しかし、一足のブーツ、たとえば、ハイキングブーツ、スキーブーツ、または図１及び図２に示すスノーボードブーツでは、ショートストラップの第１及び第２各組が５本であるのが好適な実施形態である。
【００４１】
第１及び第２組のショートストラップのそれぞれは、その各端にループを形成している。ショートストラップ１０ａ、１０ｂ、１０ｃ、１０ｄ、１０ｅ、１１ａ、１１ｂ、１１ｃ、１１ｄ、１１ｅの各端のループを通ってリング１５が延びている。
【００４２】
第１ロングストラップ２０は、ショートストラップ１０ａのリング１５を通って延び、さらにショートストラップ１１ａのリング１５を通って延びている。第１ロングストラップ２０はその各端に形成されたループを有している。第２ロングストラップ２１は、ショートストラップ１０ｂのリング１５を通って延び、さらにショートストラップ１１ｂのリング１５を通って延びている。第２ロングストラップ２１はその各端に形成されたループを有している。
【００４３】
第３ロングストラップ２２は、ショートストラップ１０ｃのリング１５を通って延び、さらにショートストラップ１１ｃのリング１５を通って延びている。第３ロングストラップ２２はその各端に形成されたループを有している。第４ロングストラップ２３は、ショートストラップ１０ｄのリング１５を通って延び、さらにショートストラップ１１ｄのリング１５を通って延びている。第４ロングストラップ２３はその各端に形成されたループを有している。第５ロングストラップ２４は、ショートストラップ１０ｅのリング１５を通って延び、さらにショートストラップ１１ｅのリング１５を通って延びている。第５ロングストラップ２４はその各端に形成されたループを有している。
【００４４】
ひもＬは、足にフットウェア製品を締め付けるため、第１、第２、第３、第４及び第５ロングストラップ２０，２１，２２，２３、２４それぞれに形成されたループを通って交差して延びる。第１、第２、第３、第４及び第５ロングストラップ２０，２１，２２，２３、２４は、足にフットウェア製品を締め付けるために、ひもに滑車の原理による締め付け力の増幅作用を与える。
【００４５】
ロングストラップの数はそれぞれ、ショートストラップの各組のストラップ数に一致する。ここで示す実施形態では、具体的に５本のロングストラップ２０，２１，２２，２３、２４が設けられている。５本のロングストラップは、ショートストラップの第１組における５本のショートストラップ１０ａ、１０ｂ、１０ｃ、１０ｄ、１０ｅとショートストラップの第２組における５本のショートストラップ１１ａ、１１ｂ、１１ｃ、１１ｄ、１１ｅを通って延びている。ロングストラップはさらに、アッパー部３の開口部の上方を舌部４を横切って延びている。別の靴に適用する場合は、ロングストラップ２０，２１，２２，２３，２４の数は異なることもある。ショートストラップに関して上述したように、小さな靴に適用する場合は、一本のロングストラップ２０のみが必要である。ランニングシューズまたは自転車用シューズでは、２または３本のロングストラップが用いられる。５本のロングストラップ２０，２１，２２，２３、２４は、図１及び図２に示すスノーボードブーツ等に最適な数であると思われる。
【００４６】
本発明のひも締め付け構成では、第１〜第５ロングストラップ２０，２１，２２，２３、２４とリング１５との間の摩擦を減らすため、リング１５が金属製、特にメッキしたスチールまたはステンレススチールであることが好ましい。しかし、リング１５は、真鍮、プラスチック等の様々な素材のいずれでも形成できる。またリング１５は、各ロングストラップ２０，２１，２２，２３、２４が通って延びることができる、端に形成されたループを有する鋲止めされた接続具等の接続具で代用できる。接続具は、ショートストラップ１０ａ〜１０ｅ及び１１ａ〜１１ｅの端に鋲止めできる。
【００４７】
図５において、ブーツ１及び他のストラップが除かれた状態のロングストラップ２３の構成の詳細を示す。ロングストラップ２３の形状及び構成は、一般的に長さが異なることを除いて、他のロングストラップ２０，２１，２２、２４と同様である。具体的に、第１ロングストラップ２０はロングストラップ中で最短である。第２ロングストラップ２１は第１ロングストラップ２０より長く、第３ロングストラップ２２は第２ロングストラップ２１より長く、第４ロングストラップ２３は第３ロングストラップ２２より長く、また第５ロングストラップ２４は第４ロングストラップ２３より長い。長さ以外は、ロングストラップ２０，２１，２２、２３，２４のそれぞれは概して均一に構成される。
【００４８】
図３及び図４において、本発明の第２実施形態を示す。第２実施形態では、ロングストラップ２０，２１，２２，２３、２４はその各端にループを形成し、またさらに個別接続具または個別リング５０を含む。個別リング５０は、リング１５とほぼ同じタイプのリングまたは接続具である。ひもＬは、第１実施形態においてひもＬがロングストラップのループを通って延びるのと同様の様式で、個別リング５０を通って交差して延びている。
【００４９】
図６に示すように、伝統的な従来のひも締め付け構成においては、ひもＬは靴のアッパー部の両サイド部に形成された穴を通って延びている。ひもＬに力Ｆが与えられることにより、穴を通るひもが引っ張られ、締め付けられる。このとき、ひもに対する穴での抵抗及び摩擦により、ひもを締め付けることが困難になる。さらに、力Ｆ自体が摩擦を生じさせる一因となる。
【００５０】
本発明においては、図７に示すように、ロングストラップ２３に与えられた力Ｆ１は、ショートストラップ１０ｄ及び１１ｄに与えられる。このとき、ショートストラップ１０ｄ及び１１ｄの各端を通過しているロングストラップ２３の構成により、ロングストラップ２３の動きがひもＬの動きの半分となり、このため力Ｆ１は滑車とロープに似た方法で増幅される。さらに、力Ｆ１は、ショートストラップ１０ｄ及び１１ｄに作用する力Ｆ２がほぼ力Ｆ１の２倍であるように増幅される。
【００５１】
本発明の第３実施形態を図８に示す。図８において、ロングストラップ２３"及び２４"はショートストラップ１０ｄ'、１０ｅ'、１１ｄ'、１１ｅ'に形成されるループを通って延びている。ひもＬはさらに、ロングストラップ２３"、２４"に形成されるループを通って延びている。この第３実施形態では、リング１５は完全に除かれている。本発明のすべてのロング及びショートストラップは、前記と同様なループと端とを形成することができ、このためリング１５は不要となる。
【００５２】
一つのリング１５がブーツ１から取り外されて図９に示される。また、リング１５はリング５０をも表しているが、リング１５及び５０は図９に示すようなループである必要はない。リング１５及び５０は、図１０に示すリング１５ａ等のように、より長方形の形状であってもよい。さらに、リング１５及び５０は、三角形の接続具１５ｂで代用してもよい。同様に、リング１５及び５０は、図１２に示す接続具１５ｃで代用してもよい。接続具１５ｃは、たとえばショートストラップ１０ｂに鋲止めされるリングまたは接続具Ｃを備える。
【００５３】
図１３、図１４、図１５、図１６及び図１７に示す第４実施形態では、ブーツ１０１はソール部２及びアッパー部３により形成される。ストラップ１１０（支持ストラップ）は縫いつけ及び／または接着によりアッパー部３に固定されている。ストラップ１１０は、ブーツ着用者の足を支持するブーツ１０１の部分全体を覆い、これにより足とブーツの間がしっかりと密着する。言い換えると、ストラップ１１０はブーツ１０１に挿入した足（図示せず）全体を覆う。同様に、別のストラップ１１１（支持ストラップ）もブーツ１０１のアッパー部３に固定されている。ストラップ１１１は第１レッグ部１１１ａ及び第２レッグ部１１１ｂを備えている。第１レッグ部１１１ａはブーツ１０１のアッパー部３のまわりに延び、ブーツ１０１に挿入した足（図示せず）の踵または背側のまわりを支持する。ストラップ１１０と同様の方法で、ストラップ１１１の第２レッグ部１１１ｂは、ブーツ１０１のアッパー部３の下に延び、これによりブーツ１０１に挿入した足（図示せず）の踵の下に延びる。図１４及び図１５に示すように、第１及び第２ストラップ１１０，１１１の各端は、対応するリング１５の一部のまわりでループにされる。
【００５４】
またブーツ１０１は、第１ロングストラップ１２１及び第２ロングストラップ１２２を含む。第１ロングストラップ１２１は、第１実施形態に関して前述した方法と同様の方法で、リング１５を通って延びている。リング１５は、ストラップ１１０の端に形成されたループを通って延びている。
【００５５】
図１６を参照して、ロングストラップ１２１及び１２２はそれぞれその各端に一対のひも穴１３０を形成する。図１７に示すように、ひもＬは、ブーツの両サイド部に形成されたひも穴１３０とひも穴１３０との間に延びる。各ロングストラップ１２１及び１２２のそれぞれの端に形成された一対のひも穴により、本発明の第１実施形態に対してさらなる利点が提供され、ロングストラップ１２１及び１２２は所定位置に保持され、簡単にねじれることがなく、または形がくずれることがない。これにより、ブーツ１０１で足がよりしっかりと支持される。さらに、第４実施形態の構成により、従来技術よりもひも解きが簡単なため、ブーツ１０１へ足を挿入したり、ブーツ１０１から足を外すことが容易である。第２ロングストラップ１２２の位置は足首に近く、したがってブーツ内の足がしっかりと支持され、これによりブーツがスノーボード、スキー、または他の同様のスポーツに使用される際、操縦性が向上する。
【００５６】
図１８及び図１９に示す第５実施形態では、第４実施形態と比較して、ストラップ１１０及び第１ロングストラップ１２１が取り除かれている。その他の点では、図１８及び図１９に示す第５実施形態は前述の第４実施形態とほぼ同様である。具体的には、第５実施形態では、第１及び第２レッグ部１１１ａ及び１１１ｂとともにロングストラップ１２２及びストラップ１１１が含まれる。
【００５７】
上記すべての実施形態において、ロングストラップ２３を示す図７等、端から見た場合、ロングストラップ２１〜２４、１２１、１２２はすべて側部で曲げられている細長いＣ字形に形成されている。
【００５８】
本発明の第６実施形態を図２０及び図２１に示す。図２０及び図２１に示すスノーボードブーツは、ソール部２及びソール部２に接続されているアッパー部３'を含む。アッパー部３'は、ほぼ中央に延びる舌部４を有し、舌部４はアッパー部３'に形成された開口部の両サイド部の間に延びている。前述の実施形態のように、アッパー部３'の各サイド部には、複数のショートストラップが設けられている。ショートストラップは、二組のストラップに分かれ、第１組が１０ａ、１０ｂ、１０ｃ、１０ｄ、１０ｅ、１０ｆであり、第２組が１１ａ、１１ｂ、１１ｃ、１１ｄ、１１ｅ、１１ｆである。図２０及び図２１に示すように、ショートストラップの第１組は、アッパー部３'の第１サイド部の下端部に固定され、ショートストラップの第２組は、アッパー部３'の第２サイド部の下端部に固定されている。
【００５９】
ショートストラップの第１組１０ａ、１０ｂ、１０ｃ、１０ｄ、１０ｅ、１０ｆと第２組１１ａ、１１ｂ、１１ｃ、１１ｄ、１１ｅ、１１ｆの全ては、互いに所定の間隔をあけて設けられており、この間隔はフットウェア製品の適用により変化し、前述のリング１５と同様のリング１５を含む。
【００６０】
図２０及び図２１に示すように、前述した方法と同様に、ロングストラップ２０，２１，２２はそれぞれ対応するリング１５を通って延びる。さらに、ひもＬは各ロングストラップ２０，２１，２２の各端に形成されたループを通って延びる。
【００６１】
スノーボードブーツの足首支持部Ａ近くには、補助用ひも締めストラップ８５が設けられている。補助用ひも締めストラップ８５は、スノーボードブーツの足首支持部Ａ近くのブーツの正面、上部表面上に延びている。補助用ひも締めストラップ８５はひもＬが通って延びるループ９０を含む。補助用ひも締めストラップ８５は、ロングストラップ２０，２１，２２の方法（図７に関して前述したように）と同様の方法で、機構的にひもＬの締め付け能力を向上させる効果を有する。このため、補助用ひも締めストラップ８５を用いることにより、スノーボードブーツの足首支持部Ａがより容易に締め付けられ、したがって足の足首部はよりしっかりとスノーボードブーツの足首支持部Ａ内に固定される。
【００６２】
具体的には、補助用ひも締めストラップ８５の追加により、ひもＬが与える力に対する締め付け力が増大する。補助用ひも締めストラップ８５に作用する力は、図２５に示すようにモデル化される。壁Ｂはスノーボードブーツの片側を示す。壁Ｂに固定されたローラＲ２はスノーボードブーツのサイド部のひも穴の一つを表す。ラインＬ１はひもＬを、ラインＬ２、ローラＲ１及びＲ３は補助用ひも締めストラップ８５のループ９０を表す。ラインＬ１はローラＲ１，Ｒ２，Ｒ３のまわりに延び、その各端で壁Ｂに固定されている。ラインＬ２は、ローラＲ１とＲ３との間に延び、これにより重さＷを支持する。
【００６３】
図２５では、ひもＬ、スノーボードブーツの片側、及び補助用ひも締めストラップ８５に作用する力の概略を示している。
【００６４】
図２５から明白なように、重さＷにより与えられる力はローラ構成により壁Ｂに分散される。さらに、ラインＬ１に作用する力は、重さＷの約１／４である。ラインＬ１はひもＬを、重さＷは補助用ひも締めストラップ８５を表しており、ひもＬに作用している力は、補助用ひも締めストラップ８５により与えられる力よりもかなり小さいことは明白である。したがって、ひもＬを締めたとき、ひもＬから与えられるのは、ブーツのサイド部の多数のループ９０及びひも穴により増大され、これによりブーツの足首部Ａ内の足がしっかりと支持される。
【００６５】
このようなひもＬ及び補助用ひも締めストラップ８５の構成では、図２５に示すように、補助用ひも締めストラップ８５に作用する力はひもＬの一部に作用する力の４倍であるため、ひもＬにより補助用ひも締めストラップ８５に与えられる力のすべての合計は、ひもＬの実際の引張りの力よりもかなり大きくなる。しかし、本発明の実際の実施において、ひもＬにより与えられる補助用ひも締めストラップ８５への力の合計は、ひもＬの一部への力の約３倍となる場合もある。
【００６６】
図２０、図２１及び図２２において、ループ９０が繊維、ひも状のまたは皮状の素材として示されているが、ループ９０は図２３に示すループ９０'等のようにプラスチック材で形成されてもよい。さらに、ループ９０または９０'は、リング１５と同様の金属製であってもよい。また、図２４に示すように、ループ９０を除き、代わりに補助用ひも締めストラップ８５が金属製のひも穴または補強開口部９１を形成することもできる。
【００６７】
さらに、補助用ひも締めストラップ８５がロングストラップ２０，２１，２２を用いないブーツにおいても使用できる。言い換えると、ひもＬをリング１５（または同等物）に直接通すことができ、次いで補助用ひも締めストラップ８５中のループ９０に通すことができる。
【００６８】
さらに、補助用ひも締めストラップ８５は、ひもＬの幅よりもかなり広い幅を有する。たとえば、補助用ひも締めストラップ８５の幅は、ひもＬの幅の少なくとも５倍あり、さらにひもＬの幅の１０倍以上の広さであることもある。
【００６９】
本発明の様々な詳細は、本発明の精神及び範囲から逸脱することなく変更が可能である。さらに、上述した本発明による実施形態の説明は、例示するためだけの目的で提供されるものであり、添付の請求の範囲及びそれに相当するものにより定義される本発明を制限するものではない。
【００７０】
【発明の効果】
以上のように本発明では、ひもに滑車の原理による締め付け力の増大作用を提供するためのストラップを設けているので、ひもが濡れているような場合でも簡単に締め付けることができ、しかもより確実にフットウェア製品を足に密着させることができる。
【図面の簡単な説明】
【図１】  長ひもが複数のストラップのリングを通って延びている、本発明の第１実施形態における二重ひも締め付け構成を有するブーツの正面図である。
【図２】  図１に示すブーツの側面図である。
【図３】  本発明の第２実施形態における、より明瞭にするためにひもを取り除いた、図１及び図２に示すブーツのストラップと同様のいくつかのストラップの側面透視図である。
【図４】  より明瞭にするためにブーツ、ひも及び他のストラップを取り除いた、図３に示すブーツの一つのストラップの正面透視図である。
【図５】  本発明の第１実施形態におけるブーツの一つのストラップを示す、図４と同様の正面透視図である。
【図６】  従来技術のブーツのひも締め付け構成の一部の端面図である。
【図７】  本発明によるひも締め付け構成を利用したブーツの一部の端面図である。
【図８】  本発明の第３実施形態における、ショートストラップ及びロングストラップを示す、図４及び図５と同様の正面図である。
【図９】  本発明の第１及び第２実施形態に用いることのできる種々のリングの正面図である。
【図１０】  本発明の第１及び第２実施形態に用いることのできる種々のリングの正面図である。
【図１１】  本発明の第１及び第２実施形態に用いることのできる種々のリングの正面図である。
【図１２】  本発明の第１及び第２実施形態に用いることのできる種々のリングの正面図である。
【図１３】  本発明の第４実施形態におけるブーツの側面図である。
【図１４】  本発明の第４実施形態におけるブーツの平面図である。
【図１５】  本発明の第４実施形態におけるブーツの正面図である。
【図１６】  第４実施形態におけるブーツストラップのさらに詳細を示す、図１３と同様の拡大した側面図である。
【図１７】  ストラップに形成されるひも穴及びブーツに形成されるひも穴を通って延びるひもを示す断片的な透視図である。
【図１８】  図１６と同様であり、本発明の第５実施形態を示す図である。
【図１９】  本発明の第５実施形態におけるフットウェア製品の透視図である。
【図２０】  スノーボードブーツは補助用ひも締めストラップを含む、本発明の第６実施形態におけるスノーボードブーツの側面図である。
【図２１】  図２０に示すスノーボードブーツの正面図である。
【図２２】  図２０及び図２１に示す補助用ひも締めストラップがスノーボードブーツから除かれた正面図である。
【図２３】  図２２に示すものと同様の、代替の補助用ひも締めストラップの正面図である。
【図２４】  図２２及び図２３に示すものと同様の、さらなる代替の補助用ひも締めストラップの正面図である。
【図２５】  ひもＬと補助用ひも締めストラップとの間に作用する力を示す示力図である。
【符号の説明】
１  ブーツ
２  ソール部
３  アッパー部
４  舌部
１１  ショートストラップ
１５  リング
２０、２１，２２，２３，２４  ロングストラップ
【図１】
0004535523.tif 000002
【図２】
0004535523.tif 000003
【図３】
0004535523.tif 000004
【図４】
0004535523.tif 000005
【図５】
0004535523.tif 000006
【図６】
0004535523.tif 000007
【図７】
0004535523.tif 000008
【図８】
0004535523.tif 000009
【図９】
0004535523.tif 000010
【図１０】
0004535523.tif 000011
【図１１】
0004535523.tif 000012
【図１２】
0004535523.tif 000013
【図１３】
0004535523.tif 000014
【図１４】
0004535523.tif 000015
【図１５】
0004535523.tif 000016
【図１６】
0004535523.tif 000017
【図１７】
0004535523.tif 000018
【図１８】
0004535523.tif 000019
【図１９】
0004535523.tif 000020
【図２０】
0004535523.tif 000021
【図２１】
0004535523.tif 000022
【図２２】
0004535523.tif 000023
【図２３】
0004535523.tif 000024
【図２４】
0004535523.tif 000025
【図２５】
0004535523.tif 000026